(57)【特許請求の範囲】
【請求項１】
衣類を載置してアイロン掛けを行う台本体の衣類載置面に載置した衣類のボタンやホック等の留め具を、該衣類載置面よりも下方に退避することができる凹部を設けたアイロン台であって、
前記台本体を構成する本体部に凹部を形成し、その凹部内に前記衣類載置面とほぼ同一高さの上面を有する弾性部材を配置し、衣類の留め具を前記弾性部材上に配置してアイロン掛けを行うことにより、該留め具が該弾性部材内に沈み込んで衣類を該衣類載置面上に一直線状に支持することができる構成とし、
前記本体部及び前記弾性部材の上面にフェルトを載置したことを特徴とするアイロン台。
【請求項２】
前記本体部を金属製のメッシュ状に形成してなる請求項１記載のアイロン台。
【請求項３】
前記弾性部材をポリウレタンから構成してなる請求項１記載のアイロン台。
【請求項４】
前記本体部がカバーにより覆われている場合には、前記凹部の位置を視認可能な手段を該カバーに備えさせてなる請求項１記載のアイロン台。
【発明の詳細な説明】
【０００１】
【発明の属する技術分野】
本発明は、ボタンやホック等の留め具を備えた衣類を載置してアイロン掛けを行うアイロン台に関する。
【０００２】
【従来の技術】
上記アイロン台の台本体の上面は、一般に平坦面に形成されていて、アイロン掛けをスムーズに行えるようにしている。
【０００３】
【発明が解決しようとする課題】
上記アイロン台を用いて例えばワイシャツをアイロン掛けする場合に、ボタンが取り付けられている部分では、ボタンの厚み分だけ盛り上がってしまうため、その部分でのアイロン掛けを良好に行うことができないばかりか、皺を付けてしまうこともあった。
又、皺を付けないためには複数のボタンの周囲を他の部分のアイロン掛けとは異なり、ゆっくりと慎重にアイロンをいろんな方向に向き変更しながらアイロン掛けを行わなければならず、効率が非常に悪化するものであり、早期改善が要望されている。
【０００４】
本発明が前述の状況に鑑み、解決しようとするところは、ボタンやホック等の留め具を備えた衣類のアイロン掛けを皺を付けることなく良好かつ効率よく行えるアイロン台を提供する点にある。
【０００５】
【課題を解決するための手段】
本発明のアイロン台は、前述の課題解決のために、衣類を載置してアイロン掛けを行う台本体の衣類載置面に載置した衣類のボタンやホック等の留め具を、該衣類載置面よりも下方に退避することができる凹部を設けているので、衣類のボタンやホック等の留め具をそれが下側に向いた状態（小さな留め具の場合には留め具を衣類の上側に位置させた状態で衣類ごと）凹部に臨ませることによって、凹部の空間を利用して留め具を衣類載置面から下方に退避させることができ、衣類をほぼ平坦面にすることができる。そして、ほぼ平坦面になった衣類の上をアイロンが移動することによって、アイロン掛けを良好にすることができる。
【０００６】
前記台本体を構成する本体部に凹部を形成し、その凹部内に前記衣類載置面とほぼ同一高さの上面を有する弾性部材を配置し、衣類の留め具を前記弾性部材上に配置してアイロン掛けを行うことにより、該留め具が該弾性部材内に沈み込んで衣類を該衣類載置面上に一直線状に支持することができる構成とすることによって、留め具が衣類載置面から必要以上に落ち込むことを弾性部材により阻止することができると共に、留め具以外の部分を弾性部材が衣類載置面とほぼ同一高さ位置で支持することができるから、衣類を常に衣類載置面上に一直線状に支持してアイロン掛けを良好に行うことができる。又、凹部を使用しないアイロン掛けを行う場合にアイロンの外周縁が衣類載置面から下方に落ち込むことを弾性部材により良好に阻止することができる。
更に、前記本体部及び前記弾性部材の上面にフェルトを載置することによって、熱の影響を受けやすい弾性部材に対する熱保護を行うと共に、弾性部材との共働により２段の緩衝作用を発揮させることができ、弾性部材の厚みを薄く（小さく）することができる。
【０００７】
前記本体部を金属製のメッシュ状に形成することによって、アイロン掛けを行う際において衣類に吹き付けられる蒸気がアイロン台の下方に抜けやすくすることができ、アイロン台上に水分が溜まり難くすることができる。又、前記本体部をメッシュ状に形成することによって、板状のものに比べて軽量化を図ることができるものの、保形強度が低下してしまうことになるが、折り曲げて凹部を形成することによって、台本体全体の保形強度の向上を図ることができる。
【０００８】
前記弾性部材をポリウレタンから構成することが好ましい。
【００１０】
前記本体部がカバーにより覆われている場合には、前記凹部の位置を視認可能な手段を該カバーに備えさせることによって、凹部に対応する付近のカバーの上面を一々指で押さえて確認する必要がなく、凹部の上方位置に留め具を迅速に位置させることができる。
【００１２】
【発明の実施の形態】
図１にアイロン台の分解斜視図が示されている。このアイロン台は、先端が円弧状に湾曲形成され、後端の２つの角部が湾曲形成された平面視ほぼ舟形の台本体１と、この台本体１の裏面（下面）に取付けられた逆Ｕの字状の前後一対の金属製の支持脚（折り畳み式でも固定式でもよい）２，３とから構成されている。前記台本体１を図とは異なる形状、例えばほぼ長方形状に構成する他、円形、楕円形、菱形、正方形、台形等に形成してもよく、台本体１の形状は、これらのものに限定されるものではない。以下、前記台本体１の長手方向を前後方向とし、長手方向と直交する方向を左右方向として説明する。ここでは、正座して使用する小型のアイロン台を示しているが、立ち姿勢でアイロン掛けを行う大型のアイロン台であってもよい。
【００１３】
前記台本体１は、図１〜図５に示すように、金属製のメッシュ状に形成され、かつ、外周縁が下方に折り曲げられた本体部４と、この本体部４の外周縁の下端を構成する金属製の棒状の枠部材５と、前記本体部４上に載置したクッション材及び後述の熱の影響を受けやすい弾性部材９の熱保護を目的とする熱保護部材兼用のフェルト６と、このフェルト６を本体部４の上面に押し付けるために上方から覆い被せると共に衣類載置面７Ｈを構成する布製のカバー７とを備えている。前記メッシュ状に形成された本体部４を備えさせることにより、衣類に吹き付けられる蒸気を下方に抜け易くすることができるが、蒸気を下方に抜くことができない平板状のものから構成してもよく、本体部４の具体構成はこれらのものに限定されるものではない。前記フェルト６は、ウール（羊毛ではなくヤギ、アルパカ、ラマの毛を含む）、あるいはウールに少量の植物繊維や合成樹脂を混ぜた繊維を絡み合わせてつくる不織布であり、他のものでもよい。
【００１４】
図１〜図５に示すように、前記メッシュ状に形成された本体部４の左右方向ほぼ中央部に、それの上面４Ａよりも下方に位置する凹部８を形成し、その凹部８内に前記上面４Ａと同一高さの上面９Ａを有するポリウレタンでなる弾性部材９を配置している。従って、図６（ａ）に示すようにアイロン掛けを行う場合において、衣類１７のボタン（ホックでもよい）等の留め具１０を弾性部材９上に配置し、アイロン１１を掛けることによって、留め具１０がアイロン１１の下面で押されて、図６（ｂ）に示すように、変形されるフェルト６の一部が弾性部材１２内に沈み込むことで、留め具１０を衣類載置面７Ｈから下方に退避させることができ、衣類１７を本体部４上に一直線状に支持した状態でアイロン掛けを行うことができるようにしている。このように構成することによって、留め具１０があっても、留め具１０のない衣類同様に迅速にアイロン掛けが行える利点がある。図６（ａ），（ｂ）では、前記衣類１７の下側に留め具１０が位置する状態、つまり留め具１０が下側に向いた状態で凹部８に臨ませてアイロン掛けを行うことによって、衣類１７を本体部４上に一直線状に支持した状態でアイロン掛けを行うことができるが、小さな留め具１０であれば、衣類１７の上側に留め具１０が位置する状態、つまり衣類１７を介して留め具１０を凹部８に臨ませてアイロン掛けを行ってもよい（図示せず）。この場合、衣類１７が留め具１０付近で少し凹部８側に移動することになるが、その部分での衣類１７が緩やかな湾曲形状を描くように移動するため、衣類１７をほぼ平坦面にすることができる。従って、その部分に皺ができるようなことがなく、良好なアイロン掛けが行え、全く問題にならない。尚、前記弾性部材９の上面９Ａを本体部４の上面４Ａよりも少し高くしておけば、アイロンの外周縁が凹部８内に落ち込むことを確実に回避することができるが、前記のように同一高さにしてもよいし、又、弾性部材９の上面９Ａを本体部４の上面４Ａよりも少し低くして実施することもできる。前記凹部８は、例えばプレス機により押圧形成されることになるが、その際にメッシュを構成する線材の部位の中でも最も強度的に優れている連結部（交差部）４Ｘ（図７参照）を折り曲げ部とすることによって、本体部４全体の保形強度を高めることができるが、他の部位を折り曲げ形成してもよい。又、前記折り曲げられた線材の角度は、９０度（垂直）よりも少し小さな角度になっているが、９０度（垂直）よりも大きな角度に設定する他、何度に設定してもよい。尚、アイロン１１が凹部８を通過した後は、弾性復元力により弾性部材９が本体部４の上面と同一高さに復帰するのである。前記凹部８の左右幅を約３．５ｃｍとし、深さを約１ｃｍとすることによって、大小あるどのような留め具１２であっても前記のようにアイロン掛けに伴い凹部８を利用して衣類載置面から下方に退避させることができるのであるが、これら寸法に限定されるものではない。図４では、フェルト５と弾性部材９の厚み（上下寸法）をほぼ同一にしたが、フェルト５を薄く形成することによって、弾性部材９への留め具１０の沈み込み量を大きくして留め具１０の沈み込みがよりスムーズ（良好）に行えるようにしてもよい。又、前記凹部８を本体部４の前後方向ほぼ全域に渡って形成することによって、多数の留め具１０を備える衣類をアイロン掛けする場合に有利であるが、凹部８の前後方向の寸法は、図に示されるものに限定されるものではない。又、凹部８を本体部４の長手方向（前後方向）に形成する他、長手方向と直交する方向（左右方向）や斜めに交差する方向に形成してもよいし、又、図８に示すように、凹部８を本体部４の左右方向一端側に寄った箇所に形成してもよい。又、前記凹部８内に弾性部材９を配置することによって、衣類載置面７Ｈから下方への留め具１０の必要以上の落ち込みや留め具１０のない衣類をアイロン掛けする場合にアイロン１１の外周縁が凹部８内へ落ち込むことを確実に回避することができるが、前記弾性部材９を省略して実施することもできる。前記凹部８を仕上げ馬に備えさせて実施することもできる。
【００１５】
前記本体部４を金属製のメッシュ状に形成することによって、熱において有利であり、かつ、軽量化を図ることができるようにしたが、金属製の板状に形成したものでもよいし、木製又は合成樹脂製のものであってもよく、材質及び形状（メッシュや板状等の構造を含む）は、自由に変更できる。図９（ａ），（ｂ），（ｃ）に、木製の板の左右中央（左右一端側に寄った位置でもよい）を長手方向（前後方向）全域（全域でなくてもよい）に渡って削ることにより凹部８を形成したものを示している。図９（ａ）のものは、舟形の形状のものを示し、図９（ｂ）のものは、図９（ａ）のものよりも前後方向に長い寸法のものを示し、図９（ｃ）のものは、長方形のものを示している。又、図１１（ａ）に示すように、下側に位置する下側板材１３と、この下側板材１３の上面に載置して前記凹部８を形成するための２枚の板部材１４，１５とから本体部４を構成してもよいし、又、図１１（ｂ）に示すように、前記凹部８が貫通孔であってもよいし、又、合成樹脂で形成する場合には、図１１（ｃ）に示すように、どの部位の肉厚も同一になるように凹部８を形成することによって、局部的に低強度となる箇所が出ないようにすることが好ましいが、肉厚を異ならせて実施することもできる。図９（ａ），（ｂ），（ｃ）及び図１１（ａ），（ｂ），（ｃ）で示した本体部４に前記フェルト６及びカバー７を装着して実施することになる。又、前記凹部８を単数だけでなく、複数形成して実施することもできる。
図１０に、図９（ｂ）の本体部４に図１と同様な支持脚２，３、フェルト６、カバー７、弾性部材９を備えさせることによって構成されるアイロン台を示している。
【００１６】
又、前記凹部８に配置する弾性部材９としてゴム弾性を有するポリウレタンを用いる他、ゴム弾性を有する他の合成樹脂や合成ゴム（天然ゴムも含む）等で構成してもよい。前記ポリウレタンとしては、発泡性を有する軟質性のポリウレタンフォームが加工面及びコスト面において有利であり、しかも前記留め具１０を迅速に沈み込ませることができる利点があるが、無発泡性のゴム状のポリウレタンであってもよい。又、前記弾性部材９の弾性力が下方側（底側）ほど強くなるように弾性部材９を上下方向で複数（２つ以上）の層から構成してもよい。このように構成することによって、大きな留め具１０が下方に落ち込み過ぎることなく、的確に支持することができる利点がある。
【００１７】
又、前記凹部８内に弾性部材９を配置したものの他、図１２に示すように、衣類を載置してアイロン掛けを行う衣類載置面７Ｈを硬質材料で構成した環状の硬質部１２Ａ、前記衣類載置面７Ｈの一部（左右方向の中央で、かつ、前後方向特定範囲にしているが、左右方向一端側に寄った位置で、かつ、前後方向全域に渡る範囲でもよい）に衣類の留め具１０を沈み込ませるために軟質材料で構成された軟質部１２Ｂを配置して、軟質部１２Ｂ上に前記留め具１０を位置させてアイロン掛けを行うことにより、該留め具１０が該軟質部１２Ｂ内に沈み込んで衣類を該衣類載置面７Ｈ上に一直線状に支持することができるようにしてもよい。前記構成の硬質部１２Ａ及び軟質部１２Ｂを覆うカバーを設けて実施してもよい。又、前記硬質部１２Ａを環状の１つの部材から構成する他、左右２つの部材から構成してもよい。図１２に示す１６は、前記硬質部１２Ａと軟質部１２Ｂを載置支持するための支持板であるが、無くてもよい。前記硬質材料及び軟質材料として、合成樹脂を用いる他、合成樹脂以外のものでもよい。この軟質の合成樹脂を用いる場合には、使用時において復元力を有する合成樹脂を用いることになる。
【００１８】
前記本体部４の上面にフェルト６が載置され、その上をカバー７にて覆ってしまうため、前記凹部８の位置を確認するためにはカバー７の上から一々指で押さえて確認しなければならない。そこで、前記凹部８の位置がカバー７の表面から視認可能な手段を備えさせることによって、凹部８の上方に留め具１０を迅速に位置させることができるようにしており、具体的には、図１３（ａ）に示すように、カバー７の上面のうちの凹部８の上方に相当する凹部領域７Ａと他の通常領域７Ｂとを区別することができるように２つの領域７Ａ，７Ｂの色又は柄（模様）を異ならせて、凹部８の位置をカバー７を見るだけで確認することができるようにしている。又、図１３（ｂ）に示すように前記凹部領域７Ａをライン７Ｌで囲むことにより区別するようにしてもよい。
【００１９】
【発明の効果】
請求項１によれば、衣類のボタンやホック等の留め具をそれが下側を向いた状態で（小さな留め具の場合には留め具を衣類の上側に位置させた状態で衣類ごと）凹部に臨ませることによって、凹部の空間を利用して留め具が衣類載置面から退避した状態になり、留め具による凹凸が発生することなく衣類をほぼ平坦面に載置することができるから、ほぼ平坦面になった衣類の上をアイロンを移動させて、留め具を有する衣類であっても、皺が付くようなことがなくアイロン掛けを良好かつ効率よく行えるアイロン台を提供することができる。
【００２０】
請求項１によれば、台本体に形成の凹部内に弾性部材を配置することによって、衣類載置面から下方に留め具が必要以上に落ち込むことを弾性部材により阻止することができると共に、留め具以外の部分を弾性部材が衣類載置面とほぼ同一高さ位置で支持することができるから、留め具が下方に必要以上に落ち込んでアイロン掛けがされていない部分が発生するようなことがなく、衣類を常に衣類載置面上に一直線状に支持してアイロン掛けを良好に行うことができる。又、凹部を使用しないアイロン掛けを行う場合、つまり留め具のない衣類をアイロン掛けする場合に、アイロンの外周縁が凹部により下方に落ち込むことを弾性部材の上方への弾性力の復元力により良好に阻止することができる。
更に、請求項１によれば、本体部及び弾性部材の上面にフェルトを載置することによって、熱の影響を受けやすい弾性部材に対する熱保護を行うと共に、弾性部材との共働により２段の緩衝作用を発揮させることができ、弾性部材の厚みを薄く（小さく）することができ、長期間に渡って弾性部材が熱変形するようなことなく良好に機能させることができる耐久面において優れた構成とすることができると共に、弾性部材のコストの低減化を図ることができる。しかも、アイロン台に通常使用されているフェルトを用いることによって、他の特別なもので構成するものに比べてコスト面において有利になる。
【００２１】
請求項２によれば、本体部を金属製のメッシュ状に形成することによって、アイロン掛けを行う際において衣類に吹き付けられる蒸気がアイロン台の下方に抜けやすくすることができ、アイロン台上に水分が溜まり難くすることができ、アイロン掛けの仕上がりを良好な状態にすることができる。又、前記本体部をメッシュ状に形成することによって、板状のものに比べて軽量化を図ることができるものの、保形強度が低下してしまうことになるが、折り曲げて凹部を形成することによって、本体部全体の保形強度の向上を図ることができ、耐久面において有利になる。
【００２２】
請求項３によれば、弾性部材をポリウレタンから構成することによって、合成ゴムで作製する場合に比べて加工面及びコスト面において有利になる。
【００２４】
請求項４によれば、カバーで凹部が覆われていても、凹部の位置を視認可能な手段を備えさせることによって、凹部を一々指で押さえて確認する必要がなく、凹部の上方位置に留め具を迅速に位置させてアイロン掛けを迅速に行うことができる。
【図面の簡単な説明】
【図１】アイロン台の分解斜視図である。
【図２】本体部と脚とからなるアイロン台の斜視図である。
【図３】本体部の平面図である。
【図４】図３のＡ−Ａ線断面図である。
【図５】図３のＢ−Ｂ線断面図である。
【図６】衣類をアイロン掛けしている作用説明図を示し、（ａ）は衣類の留め具にアイロンを掛ける直前の状態を示し、（ｂ）は衣類の留め具にアイロンが通過中である状態を示している。
【図７】本体部の折り曲げ部を示す要部の拡大斜視図である。
【図８】凹部の位置が異なる別の本体部の平面図である。
【図９】（ａ），（ｂ），（ｃ）は３つの他の本体部を示す斜視図である。
【図１０】別のアイロン台を示す分解斜視図である。
【図１１】（ａ），（ｂ），（ｃ）は３つの他の本体部を示す斜視図である。
【図１２】他の本体部の構成を示す断面図である。
【図１３】凹部の位置を視認可能な手段を設けたカバーの斜視図であり、（ａ）は色や柄により視認させるものであり、（ｂ）は境界線により視認させるものである。
【符号の説明】
１  台本体              2,3 支持脚
４  本体部              4A  上面
4X  連結部              ５  枠部材
６  フェルト            ７  カバー
7A  凹部領域            7B  通常領域
7H  衣類載置面          7L  ライン
８  凹部                ９  弾性部材
9A  上面                10  留め具
11  アイロン            12A  硬質部
12B  軟質部
13,14,15  板部材        16  支持板
17  衣類
【図１】
0004432251.tif 000002
【図２】
0004432251.tif 000003
【図３】
0004432251.tif 000004
【図４】
0004432251.tif 000005
【図５】
0004432251.tif 000006
【図６】
0004432251.tif 000007
【図７】
0004432251.tif 000008
【図８】
0004432251.tif 000009
【図９】
0004432251.tif 000010
【図１０】
0004432251.tif 000011
【図１１】
0004432251.tif 000012
【図１２】
0004432251.tif 000013
【図１３】
0004432251.tif 000014